(57)【特許請求の範囲】
【請求項１】
濾材をジグザグ状に折り込み、この折り曲げ空間にセパレータ或いはリボン材を配して折り曲げ空間の間隔保持を行うようにしたフィルタパックを、気流方向の流入側及び流出側に舟を設けた上下枠板と左右側板とで囲繞して、前記フィルタパックと前記上下枠の間にシール剤を充填するようにしたエアフィルタにおいて、前記上下枠板の左右端部に前記左右側板の端面に設けたガイド溝を嵌入自在としたガイド板を設けるようにしたことを特徴とするエアフィルタ。
【請求項２】
前記シール剤の初期粘度が２３００ｃＰ以下であることを特徴とする請求項１記載のエアフィルタ。
【発明の詳細な説明】
【０００１】
【発明の属する技術分野】
本発明は、エアフィルタに関し、特に、枠接合構造の改良に関する。
【０００２】
【従来の技術】
従来、エアフィルタは、図２に示すように、濾材ａをジグザグ状に折り込み、この折り曲げ空間にセパレータｂを配して折り曲げ空間の間隔保持を行うようにしたフィルタパックｃを、気流方向の流入側及び流出側に舟ｈを設けた上下枠板ｄ，ｄと左右側板ｅ，ｅとで囲繞して、前記フィルタパックｃと前記上下枠ｄ，ｄの間にシール剤ｆを充填してフィルタパックの気密性を確保するようにしている。
【０００３】
【発明が解決しようとする課題】
しかしながら、前記従来のエアフィルタの場合、エアフィルタを組み立てるに際し、フィルタパックｃの濾材ａが折り込み方向に対して広がろうとするために、図２に示すように、左右側板ｅ，ｅを専用ジグｇで固定しながら組立を行う必要があり、専用ジグｇの用意、個数確保に手間がかかり、また、シール剤ｆが組立時に垂れ流し状態になってしまうためシール剤の粘度や性状にかなり気を付ける必要があり、組立作業に手間がかかるという不都合を有していた。
そこで、本発明は、前記従来技術の不都合を解消し、組み立て時に専用ジグを必要とせず、また、シール剤の粘度、性状に特に気を付ける必要もなく、粘度２３００ｃP以下のシール剤でも使用可能なエアフィルタを提供することをその課題とするものである。
【０００４】
【課題を解決するための手段】
本発明のエアフィルタは前記課題を解決するべく、濾材をジグザグ状に折り込み、この折り曲げ空間にセパレータ或いはリボン材を配して折り曲げ空間の間隔保持を行うようにしたフィルタパックを、気流方向の流入側及び流出側に舟を設けた上下枠板と左右側板とで囲繞して、前記フィルタパックと前記上下枠の間にシール剤を充填するようにしたエアフィルタにおいて、前記上下枠板の左右端部に前記左右側板の端面に設けたガイド溝を嵌入自在としたガイド板を設けるようにしたことを特徴とするエアフィルタである。
また、請求項２記載のエアフィルタは、前記シール剤の初期粘度が２３００ｃＰ以下であることを特徴とするエアフィルタである。
【０００５】
【発明の実施の形態】
次に、図面に従って、本発明エアフィルタの実施の形態につき説明する。
図１は、本発明エアフィルタの一実施の形態の組み立て状態の斜視図であって、図中１は、フィルタパックを示し、濾材２をジグザグ状に折り込み、この折り曲げ空間にセパレータ３を配して折り曲げ空間の間隔保持を行うようにしたもので、このフィルタパック１を、上下枠板４，４と左右側板５，５とで囲繞して、前記フィルタパック１と前記上下枠板４，４の間にシール剤６を充填するようにしたもので、かかる構成は特に従来のエアフィルタと変わるものではない。
【０００６】
本発明のエアフィルタは、前記上下枠板４，４の気流方向の流入側及び流出側に舟７，７を設けると共に左右端部に前記左右側板５，５の端面５ａ，５ａに設けたガイド溝５ｂ，５ｂを嵌入自在としたガイド板８，８を設けるようにした。
【０００７】
本実施の形態では、前記上下枠板４，４及び左右側板５，５をアルミ枠材で構成し、上下枠板４，４の気流方向の流入側及び流出側に設けられたに舟７，７は上下枠板４，４と一体に形成したものとしたが、上下枠板４，４と別体に構成したアルミ部材として、上下枠板４，４にビス止め等で固定するようにしてもよい。
【０００８】
また、本実施の形態では、前記ガイド板８，８を合成樹脂板で構成し、上下枠板４，４にビス９止め固定するようにしたが、アルミ板で構成してもよく、また、上下枠板４，４への固定手段も気密性を確保できるものであれば任意である。前記上下枠板４，４と左右側板５，５との接合は、上下枠板４，４に設けた図略のビス孔と、左右側板５，５に設けたやはり図略のビスホールとを介して、ビス１０止めするようにした。
【０００９】
尚、本実施の形態では、特公平６−７８９４号に開示されるような、ポリオールと無機充填剤と、イソシアネート基を有する硬化剤とを配合したような初期粘度２３００ｃＰ以下のシール剤のように流動性のあるシール剤を使用したが、このように流動性の高いものも含め、シール剤の粘度、性状等にあまり気をつけることなく、ｌ各種シール剤の使用が可能である。
【００１０】
また、本実施の形態では、フィルタパック１のジグザグ状に折り込んだ濾材２の折り曲げ空間にセパレータ３を配してこの折り曲げ空間の間隔保持を行うようにしたが、濾材２に設けたリボン材を配してこの折り曲げ空間の間隔保持を行うようにしてもよい。
【００１１】
次に、前記エアフィルタの組み立てにつき説明する。
先ず、フィルタパック１を左右側板５，５で挟み込み、この状態で左右側板５，５の端面５ａ，５ａに設けたガイド溝５ｂ，５ｂを下枠板４のガイド板８，８に嵌入させ、下枠体４に取り付ける。同様に、左右側板５，５の端面５ａ，５ａに設けたガイド溝５ｂ，５ｂを上枠板４のガイド板８，８に嵌入させ、上枠板４に取り付けて、仮り組みを行うものである。仮り組み後の上下枠板４，４と左右側板５，５とはテープで止めるだけでよい。
このように、上下枠板４，４に設けたガイド板８，８と、左右側板５，５に設けたガイド溝５ｂ，５ｂを利用することにより、特殊なジグを用いることなく仮り組みを簡単に行うことができる。
【００１２】
次に、図１に示すように、左右の側板５，５で挟み込んだ状態のフィルタパック１を下枠板４から外し、注入ガン２０を用いてシール剤６を下枠板４の舟７，７とガイド板８，８で囲まれる部分に注入し、再び左右側板５，５に挟み込まれたフィルタパック１を下枠板４に接合する。この状態で左右側板５，５と下枠板４とをビス１０止めする。このシール剤６の注入時には、シール剤６は舟に堰き止められて粘度の小さなシール剤６を用いても垂れ流し状態となることが避けられる。
【００１３】
次に、組み立て状態のエアフィルタをひっくり返し、左右の側板５，５で挟み込んだ状態で下枠板４と固定されたフィルタパック１を上枠板４から外し、注入ガン２０を用いてシール剤６を上枠板４の舟７，７とガイド板８，８で囲まれる部分に注入し、再び左右側板５，５に挟み込まれたフィルタパック１を上枠板４に接合する。この状態で左右側板５，５と上枠板４とをビス１０止めする。
尚、上下枠板と左右側板とを外す際、上下枠板４，４に設けたガイド板８，８と、左右側板５，５に設けたガイド溝５ｂ，５ｂとを部分的に嵌入状態にしておくことにより、仮り組みからの外し、再組み立てを非常に簡単に行うことができる。
【００１４】
【発明の効果】
このように、本発明のエアフィルタによれば、特別のジグを用いる必要もなく、組立性に優れるとともに、粘度の低いシール剤を用いてもシール剤の垂れ流しが生じることなく、気密性に優れたエアフィルタとして簡単に組み立てることができる。
【図面の簡単な説明】
【図１】本発明エアフィルタの組立状態の斜視図
【図２】従来のエアフィルタの組立状態の斜視図
【符号の説明】
１    フィルタパック
２    濾材
３    セパレータ
４    上下枠板
５    左右側板
５ａ  端面
５ｂ  ガイド溝
６    シール剤
７    舟
８    ガイド板
９    ビス
１０    ビス
２０    注入ガン
【図１】
0004077555.tif 000002
【図２】
0004077555.tif 000003